(57)【要約】  記録媒体、記録可能な記録媒体にファイルを記録・管理する方法及び装置、同一のバックアップファイルを管理する方法を提供する。記録可能な記録媒体に記録する方法は、前記記録媒体の特定領域に原本ストリームファイル及び原本管理ファイルを記録する段階と、前記記録媒体の他の特定領域に、前記原本管理ファイルに対応するバックアップ管理ファイルを記録する段階と、を含む。したがって、より信頼性のある管理ファイルが提供され、これによりより効果的な光ディスクの記録及び再生が可能になる。
2007529084.tif 000002
【特許請求の範囲】
【請求項１】
記録可能な記録媒体に記録する方法において、
前記記録媒体の特定領域に原本ストリームファイル及び原本管理ファイルを記録する段階と、
前記記録媒体の他の特定領域に、前記原本管理ファイルに対応するバックアップ管理ファイルを記録する段階と、
を含むことを特徴とする記録方法。
【請求項２】
前記記録媒体は、書換可能型光ディスクであり、
前記原本管理ファイル及び前記バックアップ管理ファイルを記録する領域は、前記記録媒体の所定領域であることを特徴とする請求項１に記載の記録方法。
【請求項３】
前記記録媒体は、追記可能型光ディスクであり、前記原本管理ファイル及び前記バックアップ管理ファイルを記録するための領域は、それぞれ予め割り当てられることを特徴とする請求項１に記載の記録方法。
【請求項４】
前記割り当てられた領域は、ＳＲＲ（Ｓｅｑｕｅｎｔｉａｌ  Ｒｅｃｏｒｄｉｎｇ  Ｒａｎｇｅ）であることを特徴とする請求項３に記載の記録方法。
【請求項５】
２個のオープンＳＲＲが割り当てられることを特徴とする請求項４に記載の記録方法。
【請求項６】
原本ファイルに対応するバックアップファイルを管理する方法で、記録媒体のバックアップアップファイルを管理する方法において、
光記録再生装置がバックアップファイルを記録・管理できる場合、前記記録媒体にバックアップファイルが存在しないと、先にバックアップファイルを記録し、記録及び再生動作を行う段階と、
光記録再生装置がバックアップファイルを記録・管理できない場合、前記記録媒体に一つ以上のバックアップファイルが存在すると、先にバックアップファイルを削除し、記録及び再生動作を行う段階と、
を含むことを特徴とするバックアップファイル管理方法。
【請求項７】
原本ファイルに対応するバックアップファイルを管理する方法で、記録媒体のバックアップアップファイルを管理する方法において、
光記録再生装置がバックアップファイルを記録・管理できる場合、前記記録媒体の前記原本ファイルを修正または削除しようとする命令が受信されると、前記原本ファイルに対応するバックアップファイルを修正または削除する段階と、
光記録再生装置がバックアップファイルを記録・管理できない場合、前記記録媒体の前記原本ファイルを修正または削除しようとする命令が受信されると、前記原本ファイルに対応するバックアップファイルを削除する段階と、
を含むことを特徴とするバックアップファイル管理方法。
【請求項８】
記録可能な記録媒体に記録する装置において、
原本ストリームファイル、原本管理ファイル及びバックアップ管理ファイルを記録するための二つ以上の記録領域を予め割り当て、該当領域にデータを記録するための記録命令
を伝送する制御部と、
前記制御部の記録命令によって、前記割り当てられた該当領域にデータを記録する記録再生部と、を含み、
前記原本ストリームファイル及び前記原本管理ファイルが先に記録され、その後に前記バックアップ管理ファイルが記録されることを特徴とする装置。
【請求項９】
記録可能な記録媒体に記録する装置において、
原本ファイル及び該原本ファイルに対応するバックアップファイルが前記記録媒体に存在するかどうかを確認し、バックアップファイルが存在しないと、前記バックアップファイルの記録を制御する制御部と、
前記制御部の制御によって、前記記録媒体の所定領域に前記バックアップファイルを記録する記録再生部と、
を含むことを特徴とする装置。
【請求項１０】
前記原本ファイルを修正または削除しようとする場合、前記制御部は、前記原本ファイルに対応する前記バックアップファイルが修正または削除されるように前記記録再生部を制御することを特徴とする請求項９に記載の装置。
【請求項１１】
記録可能な記録媒体に記録する装置において、
原本ファイル及び該原本ファイルに対応するバックアップファイルが前記記録媒体に存在するかどうかを確認し、前記バックアップファイルが存在すると、前記バックアップファイルが削除されるように動作を制御する制御部と、
前記制御部の制御によって前記バックアップファイルを削除する記録再生部と、を含むことを特徴とする装置。
【請求項１２】
前記原本ファイルを修正または削除しようとする場合、前記制御部は、前記バックアップファイルが削除されるように前記記録再生部を制御することを特徴とする請求項１１に記載の装置。
【請求項１３】
原本管理ファイルを記録するための領域と、
原本ストリームファイルを記録するための領域と、
前記原本管理ファイルに対応するバックアップ管理ファイルを記録するための領域と、を含むことを特徴とする記録媒体。
【発明の詳細な説明】
【技術分野】
【０００１】
本発明は、記録媒体にファイルを記録・管理する方法に関するもので、特に、記録媒体、記録可能な記録媒体へ記録する方法及び装置、並びに記録媒体のバックアップファイルを管理する方法に関するものである。本発明は、広範囲のアプリケーションに適しており、特に、記録媒体に原本ファイル及びバックアップファイルを同時に記録・管理するのに適している。
【背景技術】
【０００２】
一般に、記録媒体として、大容量のデータを記録するための光ディスクが広く用いられている。広範囲の光ディスクのうち、高画質のビデオ及び高音質のオーディオデータを記録・保存するための新しい高密度光記録媒体、例えば、ブルーレイディスク（Ｂｌｕ−ｒａｙ  ｄｉｓｃ、以下、ＢＤという）が開発されている。現在、次世代技術であるブルーレイディスク（ＢＤ）は、既存のＤＶＤを著しく凌駕するデータを記録・保存するための次世代光記録ソリューションとして、これに対する世界標準技術仕様が他のデジタル機器と共に定立されつつある。したがって、ＢＤ標準で記録可能なブルーレイディスク（ＢＤ−ＲＥ／Ｒ）のファイルを管理する方法が論議されている。
【発明の開示】
【発明が解決しようとする課題】
【０００３】
しかしながら、ブルーレイディスク（ＢＤ）標準が未だに完成されていないので、完成された光再生装置を開発するに多くの困難さが伴う。
【０００４】
本発明は上記のような関連する技術の制限および短所に起因する問題点を大幅に回避するもので、記録媒体、記録媒体へ記録する方法及び装置、並びに記録媒体のバックアップファイルを管理する方法に関するものである。
【０００５】
本発明の目的は、記録可能な記録媒体にファイルを記録・管理する方法及び装置を提供することにある。
【０００６】
本発明の付加的な長所、目的、及び特徴は、部分的に後述する詳細な説明に開示され、部分的にこれを試験することにより当業者に明白となり、または本発明の実施により理解可能になるだろう。本発明の目的と他の長所は、添付図面の他、詳細な説明と特許請求の範囲に開示された構造によって具現及び獲得可能になるだろう。
【課題を解決するための手段】
【０００７】
上記目的及び他の利点を達成するために、本発明の主旨に従えば、ここに例示的に概観的に説明するように、記録可能な記録媒体に記録する方法は、前記記録媒体の特定領域に原本ストリームファイル及び原本管理ファイルを記録する段階と、前記記録媒体の他の特定領域に、前記原本管理ファイルに対応するバックアップ管理ファイルを記録する段階と、を含む。
【０００８】
本発明の他の側面において、原本ファイルに対応するバックアップファイルを管理する方法で、記録媒体のバックアップファイルを管理する方法は、光記録再生装置がバックアップファイルを記録・管理できる場合、前記記録媒体にバックアップファイルが存在しないと、バックアップファイルを先に記録し、記録及び再生動作を行う段階と、光記録再生装置がバックアップファイルを記録・管理できない場合、前記記録媒体に一つ以上のバックアップファイルが存在すると、バックアップファイルを先に削除し、記録及び再生動作を行う段階と、を含む。
【０００９】
本発明の他の側面において、原本ファイルに対応するバックアップファイルを管理する方法で、記録媒体のバックアップファイルを管理する方法は、光記録再生装置がバックアップファイルを記録・管理できる場合、前記記録媒体の前記原本ファイルを修正・削除する命令が受信されると、前記原本ファイルに対応するバックアップファイルを修正・削除する段階と、光記録再生装置がバックアップファイルを記録・管理できない場合、前記記録媒体の前記原本ファイルを修正または削除しようとする命令が受信されると、前記原本ファイルに対応するバックアップファイルを削除する段階と、を含む。
【００１０】
本発明の他の側面において、記録可能な記録媒体へ記録する装置は、原本ストリームファイル、原本管理ファイル及びバックアップ管理ファイルを記録するための二つ以上の記録領域を予め割り当て、該当領域にデータを記録するための記録命令を送信する制御部と、前記制御部の記録命令によって、前記割り当てられた該当領域にデータを記録する記録再生部と、を含み、前記原本ストリームファイル及び前記原本管理ファイルが先に記録され、その後に前記バックアップ管理ファイルが記録される。
【００１１】
本発明の他の形態において、記録可能な記録媒体へ記録する装置は、原本ファイル及び該原本ファイルに対応するバックアップファイルが前記記録媒体に存在するかどうかを確認し、バックアップファイルが存在しないと、前記バックアップファイルの記録を制御する制御部と、前記制御部の制御によって、前記記録媒体の所定領域に前記バックアップファイルを記録する記録再生部と、を含む。
【００１２】
本発明の他の形態において、記録可能な記録媒体へ記録する装置は、原本ファイル及び該原本ファイルに対応するバックアップファイルが前記記録媒体に存在するかどうかを確認し、前記バックアップファイルが存在すると、前記バックアップファイルが削除されるように動作を制御する制御部と、前記制御部の制御によって前記バックアップファイルを削除する記録再生部と、を含む。
【００１３】
本発明の他の形態において、記録媒体は、原本管理ファイルを記録するための領域と、原本ストリームファイルを記録するための領域と、前記原本管理ファイルに対応するバックアップ管理ファイルを記録するための領域と、を含む。
【００１４】
本発明についての上述した概観的な説明と後述する詳細な説明は、典型的および注釈的なものであり、特許請求の範囲に記載された発明の付加的な説明を提供することを意図したものである。
【発明を実施するための最良の形態】
【００１５】
以下、添付の図面を参照しつつ、本発明の詳細動作及び構造について詳細に説明する。図面中、同一の構成要素及び部分には、可能なかぎり同一の参照番号及び符号を付する。本発明で用いられる用語は、可能なかぎり現在広く使われている一般の用語としたが、特定の場合は、出願人が任意に選定した用語もあり、その場合には該当する発明の説明部分でその意味を詳細に記載したので、単純な用語の名称ではなく用語の有する意味として本発明を把握してほしい。
【００１６】
詳細な説明において、“記録媒体”は、データを記録できる全ての類型の媒体を示すもので、光ディスク、磁気テープなどのように、記録方法と関係なしに全ての類型の媒体を含む。ここでは、本発明の説明の便宜上、記録媒体の一例として、光ディスク、特に、ブルーレイディスク（ＢＤ）が記載される。しかし、本発明の範囲または思想は、他の類型の記録媒体にも同等に適用されうる。“原本ファイル”は、光ディスク上に記録されるファイル中に含ませるべき必須的なファイルを示す。“バックアップファイル”は、原本ファイルの一部分または全部に対する複写バージョンを示す。バックアップファイルは、光ディスクに選択的に含まれる。原本ファイル及びバックアップファイルは、図１に基づいて詳細に説明される。また、本発明において、“ファイルシステム”は、光ディスク全部の論理的構造（以下、ディスクボリュームという。）を管理する情報のセットだけでなく、光ディスクに記録された全てのファイルを管理する情報セットをも示す。ここで、かかる情報は、システムによって認識されるもので、使用者によっては認識されない。そのため、本発明において、“ファイルシステム情報”は、ファイルシステムを生成する多様な情報を示す。このようなファイルシステム情報は、“ボリューム構造”、“アンカー（ａｎｃｈｏｒ）”、“メタデータ（ＭＤ）ファイル”及び“メタデータ（ＭＤ）ファイルエントリ（ＦＥ）”を含む。ボリューム構造及びアンカーポインタは、全体ディスクボリュームの構造を示す。メタデータ（ＭＤ）ファイルは、ディスクに記録されたファイルの位置及び属性を含み、メタデータファイルエントリは、メタデータファイルの位置を示す。また、メタデータファイルがディスク内に散在していると、“メタデータ（ＭＤ）パーティションマップ”がメタデータファイルエントリに含まれる。
【００１７】
図１は、本発明に係る記録可能な記録媒体のファイル構造を示す図である。本発明に係る記録可能な光ディスクに適用されるファイル構造は、ルートディレクトリ（ルート）に含まれる一つ以上のＢＤディレクトリ（ＢＤＡＶ）を含む。各ＢＤディレクトリは、一人以上の使用者と相互作用するために用いられるインフォファイル（ｉｎｆｏ．ｂｄａｖ）、メニューファイル（ｍｅｎｕ．ｔｉｄｘ、ｍｅｎｕ．ｔｄｔ１、ｍｅｎｕ．ｔｄｔ２）及びマークファイル（ｍａｒｋ．ｔｉｄｘ、ｍａｒｋ．ｔｄｔ１、ｍａｒｋ．ｔｄｔ２）を含む。また、各ＢＤディレクトリは、実際にディスクに記録されたデータを再生・管理するための情報、及びデータを再生する方法に関する情報を含む４個のファイルディレクトリを含む。各ＢＤディレクトリに含まれたファイルディレクトリは、ストリームディレクトリ（ＳＴＲＥＡＭ）、クリップ情報ディレクトリ（ＣＬＩＰＩＮＦ）、プレイリストディレクトリ（ＰＬＡＹＬＩＳＴ）及びバックアップディレクトリ（ＢＡＣＫＵＰ）である。
【００１８】
以下、各ディレクトリ及びファイル属性を詳細に説明する。まず、ストリームディレクトリ（ＳＴＲＥＡＭ）は、特定のデータフォーマットを有するオーディオ／ビデオ（ＡＶ）ストリームファイル（０１０００．ｍ２ｔｓ、０２０００．ｍ２ｔｓ）を含み、各ストリームファイル（０１０００．ｍ２ｔｓ、０２０００．ｍ２ｔｓ）は、光ディスク内の特定領域に記録されたＡＶデータ（またはＰＣデータ）を示す。次に、クリップ情報ディレクトリ（ＣＬＩＰＩＮＦ）は、ストリームディレクトリに含まれたストリームファイル（ＡＶまたはテキストサブタイトル）に各々対応するクリップ情報ファイルを含む。各クリップ情報ファイルは、該当ストリームファイルの特性（ｐｒｏｐｅｒｔｙ）及び再生タイミング情報を含む。特に、一対一に対応するストリームファイル（＊．ｍ２ｔｓ）及びクリップインフォファイル（＊．ｃｌｐｉ）は、“クリップ”という。例えば、ＣＬＩＰＩＮＦ内に含まれた０１０００．ｃｌｐｉは、ＳＴＲＥＡＭ内に含まれた０１０００．ｍ２ｔｓの特性情報を含み、０１０００．ｃｌｐｉ及び０１０００．ｍ２ｔｓはクリップを形成する。
【００１９】
図１を再び参照すると、プレイリストディレクトリ（ＰＬＡＹＬＩＳＴ）は、一つ以上のプレイリストファイル（＊．ｒｐｌｓ）を含み、各プレイリストファイルは、特定クリップの再生を行う一つ以上のプレイアイテム（ＰｌａｙＩｔｅｍ）を含む。したがって、プレイリストファイル（＊．ｒｐｌｓ）は、一つ以上のプレイアイテムの組み合せによって所望のクリップ組み合せの再生を行う基本再生管理ファイルとして称される。すなわち、上述したファイル構造において、ストリームディレクトリ（ＳＴＲＥＡＭ）内に含まれたストリームファイルは、実際に使用者データが記録されたファイル（ＡＶストリームファイル）を示す。他のディレクトリ及びファイルは、ストリームファイルを再生するための再生管理情報を含む管理ファイルとして記載される。
【００２０】
したがって、本発明に係るファイル構造を使用すると、ディスクに記録された管理ファイルは、“原本管理ファイル”及び“バックアップ管理ファイル”を含む。また、管理ファイルが、ストリームファイルを生成するための必要不可欠な情報であるので、管理ファイルは、非常に信頼性の高い保護ソリューションを必要とする。したがって、バックアップディレクトリ（ＢＡＣＫＵＰ）は、ＢＤＡＶディレクトリ下に提供される。バックアップのための管理ファイルは、バックアップディレクトリ内に選択的に記録される。特に、バックアップディレクトリの選択的な記録は、本発明の特徴であり、これは、光記録再生装置の開発に柔軟性を提供する。そのため、バックアップディレクトリを記録及び管理できる光記録再生装置、及びバックアップディレクトリを記録または管理できない光記録再生装置は、それぞれバックアップディレクトリを記録して管理する異なった方法を有する。これに対しては、図４Ａ及び図４Ｂに基づいて詳細に説明する。
【００２１】
また、バックアップディレクトリを構成するバックアップ管理ファイルを生成するときに、原本管理ファイルの全部または一部が生成される。図１は、“ｍｅｎｕ．ｔｄｔ１”、“ｍｅｎｕ．ｔｄｔ２”、“ｍａｒｋ．ｔｄｔ１”及び“ｍａｒｋ．ｔｄｔ２”を除いた原本管理ファイルと共に、バックアップ管理ファイルを生成する好ましい例を示している。また、バックアップファイルには、その対応する原本ファイルと同じファイル名が付与され、ＢＡＣＫＵＰディレクトリは、ＢＤＡＶディレクトリ下に生成される。したがって、複数のＢＤＡＶディレクトリが光ディスク生成されると、対応する複数のＢＡＣＫＵＰディレクトリが生成される。
【００２２】
図２Ａ及び図２Ｂは、本発明に係る記録可能な記録媒体にファイルを記録する方法を示す図である。特に、図２Ａ及び図２Ｂは、追記可能型光ディスク（ｗｒｉｔｅ−ｏｎｃｅ  ｒｅｃｏｒｄａｂｌｅ  ｏｐｔｉｃａｌ  ｄｉｓｃ：例えば、ブルーレイディスク（ＢＤ−Ｒ））の一例を示す図である。したがって、本発明に係るファイルを記録する方法は、次のような特徴を有する。第一に、光記録器は、原本ファイルセットを先に記録し、その後、対応するバックアップファイルを記録する。このプロセスの優先順位は、対応する原本ファイルの重要度に依存して決定される。第二に、バックアップファイルを記録する領域は、光ディスク内で別けて提供されるべきである。例えば、書換可能型光ディスクの場合、原本ファイル記録領域及びバックアップファイル記録領域は、所定のファイル情報記録領域内に別途に割り当てられるべきである。また、追記可能型光ディスクの場合、バックアップファイル記録領域は、図２Ａに示すように、データ領域内に別々に割り当てられるべきである。
【００２３】
図２Ａは、追記可能型光ディスクにファイルを記録する方法を示す図で、光ディスクにデータを記録する前に、各ファイルのための記録領域が割り当てられた構造を示す。例えば、図２Ａは、追記可能型光ディスク内の特定セッション（ｓｅｓｓｉｏｎ#ｍ）にデータを記録する方法を示す。各セッションは、同一の方法を用いて記録されることが自明である。
【００２４】
本発明の実施形態において、データ記録領域には、第１領域と第２領域が予め割り当てられている。第１領域は、バックアップ管理ファイルを記録するための領域で、第２領域は、ストリームファイル、原本管理ファイル及びファイルシステム情報を記録するための領域である。特に、原本管理ファイルが記録された位置から離れて位置するバックアップ管理ファイルを生成することで、管理ファイルを保護する目的を達成できる。上述したような、それぞれの割り当てられた領域は、 “ＳＲＲ（Ｓｅｑｕｅｎｔｉａｌ  Ｒｅｃｏｒｄｉｎｇ  Ｒａｎｇｅ）”として称される。特に、記録可能なＳＲＲは、“オープンＳＲＲ”"とし、記録不可能なＳＲＲは、“クローズＳＲＲ”とする。
【００２５】
図２Ａを参照すると、２個のオープンＳＲＲが割り当てられており、オープンＳＲＲ＃ｋは、バックアップ管理ファイルを記録する領域として用いられ、オープンＳＲＲ＃ｋ＋１は、ストリームファイル、原本管理ファイル及びファイルシステム情報を記録する領域として用いられる。また、バックアップオープンＳＲＲ＃ｋを割り当てるとき、該当領域の割り当てられた大きさは、原本管理ファイルの大きさを予測することで決定されるべきである。例えば、追記可能型のブルーレイディスク（ＢＤ−Ｒ）は、約１３Ｋｂｙｔｅの最大２００個のプレイリストファイル（＊．ｒｐｌｓ）、約１Ｍｂｙｔｅの最大２００個のクリップインフォファイル（＊．ｃｌｐｉ）及び最大１２Ｋｂｙｔｅの多様な他のインフォファイル（ｉｎｆｏ．ｂｄａｖ）を含む。前記予測されたファイル大きさを考慮すると、必要な全体のファイル大きさは、１．０４６Ｍｂｙｔｅと予測される。しかし、該当領域における欠陥の可能性を考慮すると、１０％〜２０％の余裕分を追加した１．２Ｍｂｙｔｅの大きさであることが好ましい。
【００２６】
図２Ｂは、図２Ａに示すような、第１領域（オープンＳＲＲ＃ｋ）及び第２領域（オープンＳＲＲ＃ｋ＋1）の実際データを記録する方法の一例を示している。特に、使用者が記録しようとするストリームファイルが先にＳＲＲ＃ｋ＋１に記録され、その後、ストリームファイルの記録が完了すると、原本管理ファイルは、記録されたストリームファイルを再生する管理ファイルとして、前記記録されたストリームファイルに引き続いて記録される。その後、バックアップ管理ファイルがＳＲＲ＃ｋに記録され、ファイルシステム情報は、前記記録された原本管理ファイルに引き続いてＳＲＲ＃ｋ＋１に記録される。ここでは、説明の便宜上、図２Ｂに記録順序を番号で示している。
【００２７】
上述したように、メタデータファイル、メタデータファイルエントリ、アンカー及びボリューム構造は、ファイルシステム情報に記録される。また、ファイルシステム情報を記録した後、記録可能な領域ＳＲＲ＃ｋ及びＳＲＲ＃ｋ＋１を記録不可能な領域（すなわち、クローズＳＲＲ）に変更することが好ましい。これは、ファイルシステム情報が有効に記録された後、システムエラーなどによる予期できない状況に対応するためである。すなわち、予期できない事件が発生したときも、ファイルシステム情報が記録されるクローズＳＲＲからデータを有効に復旧できる。また、該当のセッション＃ｍがクローズされると、セッション内に存在する全てのＳＲＲがクローズされる。その後、該当のセッションには、データがそれ以上記録できず、その後のデータ記録は、新しいオープンセッション（セッション＃ｍ＋１）を割り当てて行われるべきである。この時点で、これに用いられる記録方法は、セッション＃ｍに用いられる記録方法と同一であり、バックアップ管理ファイルを記録するためのオープンＳＲＲが割り当てられる。
【００２８】
以下、本発明に係る光記録再生装置及びこれを用いた光ディスクファイルを管理する方法を、図３、図４Ａ及び図４Ｂに基づいて説明する。図３は、本発明に係る光記録再生装置を示す図である。光記録再生装置は、基本的に、光ディスクに記録されたデータ及び管理情報を読み出すピックアップ部１１と、ピックアップ部１１の動作を制御するサーボ１４と、ピックアップ部１１から受信された再生信号を所望の信号値に戻したり、記録される信号を光ディスク記録可能な信号に変調し、変調された信号をピックアップ部１１に伝達する信号プロセッサ１３と、光ディスクから読み出された管理情報を一時保存するメモリ１５と、前記動作を制御するマイクロコンピュータ１６と、を含む。この基本構造は、記録再生部２０と称されるが、“ドライブ”とも称される。
【００２９】
制御部１２は、光記録再生装置の全体動作を制御する。制御部１２は、使用者インターフェースを通して使用者の命令を受信し、受信された使用者の命令をマイクロコンピュータ１６に伝送し、使用者の命令にしたがって装置の動作を制御できる。特に、制御部１２は、記録再生部２０から伝送されたディスク管理情報を使用して記録再生命令を生成する。その後、制御部１２は、記録再生部２０に命令を再び伝送する。
【００３０】
また、ＡＶデコーダ及びテキストサブタイトル（Ｔｅｘｔ  ＳＴ）デコーダ１７は、制御部１２の制御によって出力データを最終的にデコーディングする。光ディスクに信号を記録する機能を行うために、ＡＶエンコーダ１８は、制御部１２の制御によって入力信号を特定フォーマットの信号（例えば、ＭＰＥＧ−２伝送ストリーム）に変換し、変換された信号を信号プロセッサ１３に提供する。特に、書換可能型光ディスクがローディングされると、制御部１２は、ストリームファイル、原本管理ファイル及びバックアップ管理ファイルが光ディスクの所定のファイル情報記録領域及び使用者データ記録領域にそれぞれ記録されるように装置を制御する。
【００３１】
また、追記可能型光ディスクがローディングされると、制御部１２は、ストリームファイル、管理ファイル及びファイルシステム情報を記録するための２以上の領域を予め割り当てる。本発明の好ましい実施形態（図２Ａを参照）において、２個のオープンＳＲＲ（オープンＳＲＲ＃ｋ及びオープンＳＲＲ＃ｋ＋１）が割り当てられる。引き続いて、制御部１２は、割り当てられた領域にそれぞれ記録されるデータに対応する記録命令を記録再生部２０に伝送する。その後、記録命令を受信した後、記録再生部２０は、サーボ１４を用いてピックアップ部１１を動作させ、制御部１２によって要請された領域で原本データの記録を完了する。その後、原本管理ファイル、バックアップ管理ファイル及びファイルシステム情報が順次記録される。
【００３２】
図４Ａ及び図４Ｂは、本発明に係るファイル制御方法を示す図である。特に、図４Ａは、光記録再生装置がバックアップファイルを記録・管理できる場合の例を示し、図４Ｂは、光記録再生装置がバックアップファイルを記録・管理できない場合の例を示している。
【００３３】
図４Ａに示すように、光ディスクがロードされると、初期化段階として、装置は、光ディスクにバックアップファイルが存在するかどうかを確認する（Ｓ１０）。確認結果、バックアップファイルが存在しないと、光記録再生装置は、所定の領域にバックアップファイルを記録する（Ｓ２０）。次に、装置は、記録（または書き込み）動作または再生（または読み取り）動作などの特定機能を行う（Ｓ５０）。また、装置が原本ファイルを削除しようとする命令を受信すると（Ｓ３０）、光記録再生装置は、原本ファイルのみならず、該当のバックアップファイルも削除しなければならない（Ｓ４０）。上述した段階を完了した後、装置は、記録動作または再生動作などの特定機能を行う（Ｓ５０）。
【００３４】
一方、図４Ｂに示すように、光ディスクがロードされると、初期化段階として、装置は、光ディスクにバックアップファイルが存在するかどうかを確認する（Ｓ６０）。確認結果、バックアップファイルが存在すると、光記録再生装置は、光ディスクに記録されたバックアップファイルを削除する（Ｓ７０）。次に、装置は、記録（または書き込み）動作または再生（または読み取り）動作などの特定機能を行う（Ｓ５０）。また、装置が原本ファイルを修正または削除しようとする命令を受信すると（Ｓ８０）、光記録再生装置は、原本ファイルに対応するバックアップファイルを削除しなければならない（Ｓ９０）。上述した段階を完了した後、装置は、記録動作または再生動作などの特定機能を行う（Ｓ５０）。
【００３５】
図４Ａの装置と図４Ｂの装置とを比較すると、バックアップファイルを管理できる光記録装置（図４Ａを参照）は、原本ファイルに用いられるものと同一の方法で、ロードされたディスクの特定領域に記録された原本ファイルに対応するバックアップファイルを記録・管理する。その反面、バックアップファイルを管理できない光記録再生装置（図４Ｂを参照）は、ローディングされたディスクの特定領域に記録されたバックアップファイルを削除し、今後に、既存のバックアップファイルによるシステムエラーが追加的に発生することを防止する。
【００３６】
本発明の思想または範囲を逸脱しない限度内で当業者による様々な変形が可能であることは言うまでもない。したがって、本発明は、添付の特許請求の範囲及びこの特許請求の範囲の均等物内の変形を含む。
【産業上の利用可能性】
【００３７】
本発明は、記録可能な記録媒体にファイルを記録・管理する方法及び装置を提供できるという効果がある。
【図面の簡単な説明】
【００３８】
【図１】本発明に係る記録可能な記録媒体のファイル構造を示す図である。
【図２Ａ】本発明に係る記録可能な記録媒体にファイルを記録する方法を示す図である。
【図２Ｂ】本発明に係る記録可能な記録媒体にファイルを記録する方法を示す図である。
【図３】本発明に係る光記録再生装置を示す図である。
【図４Ａ】本発明に係るファイルを管理する方法を示す図である。
【図４Ｂ】本発明に係るファイルを管理する方法を示す図である。
【図１】
2007529084.tif 000003
【図２Ａ】
2007529084.tif 000004
【図２Ｂ】
2007529084.tif 000005
【図３】
2007529084.tif 000006
【図４Ａ】
2007529084.tif 000007
【図４Ｂ】
2007529084.tif 000008
【国際調査報告】
2007529084.tif 000009
2007529084.tif 000010